(57)【要約】  本技術は、より確実に画素間を分離することができるようにする固体撮像素子およびその製造方法、並びに電子機器に関する。固体撮像素子は、光電変換部、第１の分離部、および第２の分離部を有する。光電変換部は、入射される光を光電変換し、光電変換部を分離する第１の分離部は、第１の面側から形成された第１のトレンチに形成され、光電変換部を分離する第２の分離部は、第１の面に対向する第２の面側から形成された第２のトレンチに形成される。本技術は、カメラ等に搭載され、被写体を撮影する個体撮像素子に応用することができる。
2017187957.tif 000002
【特許請求の範囲】
【請求項１】
入射される光を光電変換する光電変換部と、
前記光電変換部を分離する、第１の面側から形成された第１のトレンチに形成された第１の分離部と、
前記光電変換部を分離する、前記第１の面に対向する第２の面側から形成された第２のトレンチに形成された第２の分離部と
を備える固体撮像素子。
【請求項２】
前記第１のトレンチには、Ｎ型の不純物の第１の不純物層と、Ｐ型の不純物の第２の不純物層が固相拡散により形成されている
請求項１に記載の固体撮像素子。
【請求項３】
前記第１の分離部と前記第２の分離部は、前記光電変換部に光を入射するレンズの光軸と平行な方向に並ぶように配置されている
請求項２に記載の固体撮像素子。
【請求項４】
２段の前記光電変換部のうち前記第１の面側の前記光電変換部は前記第１の分離部により分離され、前記第２の面側の前記光電変換部は前記第２の分離部により分離されている
請求項２に記載の固体撮像素子。
【請求項５】
２×２個の前記光電変換部のブロックの周囲は前記第１の分離部により分離されている
請求項２に記載の固体撮像素子。
【請求項６】
前記第１の分離部と前記第２の分離部は、前記光電変換部に光を入射するレンズの光軸と垂直な方向に並ぶように配置されている
請求項２に記載の固体撮像素子。
【請求項７】
前記第１のトレンチには、Ｎ型の不純物の第１の不純物層、Ｐ型の不純物の第２の不純物層、および熱酸化膜が形成されている
請求項１に記載の固体撮像素子。
【請求項８】
前記光電変換部、並びに前記第１の分離部および前記第２の分離部を有する半導体層の前記第１の面側には配線層が配置され、前記第２の面側には光学層が配置される
請求項２に記載の固体撮像素子。
【請求項９】
第１の面側から、第１のトレンチを形成するステップと、
前記第１のトレンチに光電変換部を分離するための第１の分離部を形成するステップと、
前記第１の面に対向する第２の面側から、第２のトレンチを形成するステップと、
前記第２のトレンチに前記光電変換部を分離するための第２の分離部を形成するステップと
を含む固体撮像素子の製造方法。
【請求項１０】
被写体を撮影する固体撮像素子と、
前記固体撮像素子から出力される画像信号を処理する信号処理部とを備え、
前記固体撮像素子は、
入射される光を光電変換する光電変換部と、
前記光電変換部を分離する、第１の面側から形成された第１のトレンチに形成された第１の分離部と、
前記光電変換部を分離する、前記第１の面と対向する第２の面側から形成された第２のトレンチに形成された第２の分離部と
を備える電子機器。
【請求項１１】
入射される光を光電変換する光電変換部と、
前記光電変換部を分離する分離部とを備え、
前記分離部は、
前記光電変換部を分離するためのトレンチに形成されたＮ型およびＰ型の不純物層と、
前記不純物層の上に形成された熱酸化膜と
を備える固体撮像素子。
【請求項１２】
前記不純物層は、固相拡散により形成されている
請求項１１に記載の固体撮像素子。
【請求項１３】
前記Ｎ型の不純物層は、前記トレンチの転送ゲート側にだけ形成され、前記転送ゲートと反対側には形成されない
請求項１１に記載の固体撮像素子。
【請求項１４】
前記トレンチ内には、所定の電圧がかけられる埋め込み膜が埋め込まれている
請求項１１に記載の固体撮像素子。
【請求項１５】
前記熱酸化膜上に、負の固定電荷をもつ固定電荷膜が形成される
請求項１１に記載の固体撮像素子。
【請求項１６】
前記分離部は、画素の周囲を囲むように形成されている
請求項１１に記載の固体撮像素子。
【請求項１７】
前記トレンチは、前記光電変換部および前記分離部を有する半導体層の配線層が配置される側の第１の面側から形成され、前記第１の面と対向する第２の面側には光学層が配置される
請求項１１に記載の固体撮像素子。
【請求項１８】
前記不純物層は、斜めイオン注入、プラズマドーピング、エピタキシャル成長、または気相拡散により形成されている
請求項１１に記載の固体撮像素子。
【発明の詳細な説明】
【技術分野】
【０００１】
本技術は、固体撮像素子およびその製造方法、並びに電子機器に関し、特により確実に画素間を分離することができるようにした固体撮像素子およびその製造方法、並びに電子機器に関する。
【背景技術】
【０００２】
固体撮像素子においては複数の画素が配列される。そこで混色を防ぐため、隣接する画素を構成する光電変換部を分離する必要があり、そのため種々の提案がなされている。【０００３】
例えば特許文献１には、フォトダイオードを形成する前に分離構造を形成し、固相拡散の手法によりトレンチの表面にＰ型不純物を拡散させ、Ｐ型の拡散層を形成することが提案されている。【０００４】
また特許文献２には、受光面側からトレンチを形成し、フォトダイオード間のＰ型不純物と合わせて画素間を分離することが提案されている。【０００５】
また、特許文献３には、フォトダイオードの周辺にトレンチを形成し、その側壁にＰＮ接合を形成して、周辺部の電界を強くし、飽和電荷量Ｑｓを大きくすることが提案されている。Ｐ型の不純物層はイオン注入または固相拡散により形成され、Ｎ型の不純物層はイオン注入により形成されている。
【先行技術文献】
【特許文献】
【０００６】
【特許文献１】特許公報４９８７９１７号公報
【特許文献２】特開２０１３−１５７４２２号公報
【特許文献３】特開２０１５−１５３７７２号公報
【発明の概要】
【発明が解決しようとする課題】
【０００７】
しかしながら。特許文献１の提案では、微細画素では画素トランジスタの面積に制約がある他、深さ方向にオフセットをもたせる必要があり、トレンチ構造による十分な分離が困難である。【０００８】
また特許文献２の提案では、フォトダイオードを形成した後にトレンチ構造を形成するため高熱処理が使用できない。そのため、不純物の追加処理が困難になり、事前にトレンチ表面にＰ型拡散層を形成する必要がある。【０００９】
特許文献３の提案では、Ｎ型の不純物をイオン注入により形成しているため、不純物が横方向に広がってしまい、急峻なＰＮ接合を形成することができず、電界強化、飽和電荷量Ｑｓの改善に限界がある。【００１０】
結局、これらの提案では、画素間を十分に分離することが困難である。【００１１】
本技術はこのような状況に鑑みてなされたものであり、より確実に画素間を分離することができるようにするものである。
【課題を解決するための手段】
【００１２】
本技術の一側面は、入射される光を光電変換する光電変換部と、前記光電変換部を分離する、第１の面側から形成された第１のトレンチに形成された第１の分離部と、前記光電変換部を分離する、前記第１の面に対向する第２の面側から形成された第２のトレンチに形成された第２の分離部とを備える固体撮像素子である。【００１３】
前記第１のトレンチには、Ｎ型の不純物の第１の不純物層と、Ｐ型の不純物の第２の不純物層が固相拡散により形成されていることができる。【００１４】
前記第１の分離部と前記第２の分離部は、前記光電変換部に光を入射するレンズの光軸と平行な方向に並ぶように配置されていることができる。【００１５】
２段の前記光電変換部のうち前記第１の面側の前記光電変換部は前記第１の分離部により分離され、前記第２の面側の前記光電変換部は前記第２の分離部により分離されていることができる。【００１６】
２×２個の前記光電変換部のブロックの周囲は前記第１の分離部により分離されていることができる。【００１７】
前記第１の分離部と前記第２の分離部は、前記光電変換部に光を入射するレンズの光軸と垂直な方向に並ぶように配置されていることができる。【００１８】
前記第１のトレンチには、Ｎ型の不純物の第１の不純物層、Ｐ型の不純物の第２の不純物層、および熱酸化膜が形成されていることができる。【００１９】
前記光電変換部、並びに前記第１の分離部および前記第２の分離部を有する半導体層の前記第１の面側には配線層が配置され、前記第２の面側には光学層が配置されることができる。【００２０】
本技術の一側面は、第１の面側から、第１のトレンチを形成するステップと、前記第１のトレンチに光電変換部を分離するための第１の分離部を形成するステップと、前記第１の面に対向する第２の面側から、第２のトレンチを形成するステップと、前記第２のトレンチに前記光電変換部を分離するための第２の分離部を形成するステップとを含む固体撮像素子の製造方法である。【００２１】
本技術の一側面は、被写体を撮影する固体撮像素子と、前記固体撮像素子から出力される画像信号を処理する信号処理部とを備え、前記固体撮像素子は、入射される光を光電変換する光電変換部と、前記光電変換部を分離する、第１の面側から形成された第１のトレンチに形成された第１の分離部と、前記光電変換部を分離する、前記第１の面と対向する第２の面側から形成された第２のトレンチに形成された第２の分離部とを備える電子機器である。【００２２】
本技術の一側面は、入射される光を光電変換する光電変換部と、前記光電変換部を分離する分離部とを備え、前記分離部は、前記光電変換部を分離するためのトレンチに形成されたＮ型およびＰ型の不純物層と、前記不純物層の上に形成された熱酸化膜とを備える固体撮像素子である。【００２３】
前記不純物層は、固相拡散により形成されていることができる。【００２４】
前記Ｎ型の不純物層は、前記トレンチの転送ゲート側にだけ形成され、前記転送ゲートと反対側には形成されないことができる。【００２５】
前記トレンチ内には、所定の電圧がかけられる埋め込み膜が埋め込まれていることができる。【００２６】
前記熱酸化膜上に、負の固定電荷をもつ固定電荷膜が形成されることができる。【００２７】
前記分離部は、画素の周囲を囲むように形成されていることができる。【００２８】
前記トレンチは、前記光電変換部および前記分離部を有する半導体層の配線層が配置される側の第１の面側から形成され、前記第１の面と対向する第２の面側には光学層が配置されることができる。【００２９】
前記不純物層は、斜めイオン注入、プラズマドーピング、エピタキシャル成長、または気相拡散により形成されていることができる。【００３０】
本技術の一側面においては、光電変換部が、レンズを介して入射される光を光電変換し、配線層が、光電変換部に対して信号を送受する配線がレンズと反対側に配置され、分離部が、隣接する光電変換部を、配線層が配置される側から形成された第１のトレンチによる第１の分離部と、レンズが配置される側から形成された第２のトレンチによる第２の分離部とにより分離する。
【発明の効果】
【００３１】
以上のように、本技術の一側面によれば、より確実に画素間を分離することができる。なお、本明細書に記載された効果はあくまで例示であって、限定されるものではなく、また付加的な効果があってもよい。
【図面の簡単な説明】
【００３２】
【図１】本技術の第１の実施の形態の固体撮像素子の構成を示す図である。
【図２】本技術の第１の実施の形態の固体撮像素子の構成を示す図である。
【図３】本技術の第１の実施の形態の固体撮像素子の製造方法を説明するフローチャートである。
【図４】本技術の第１の実施の形態の固体撮像素子の製造方法を説明する図である。
【図５】本技術の第１の実施の形態の固体撮像素子の製造方法を説明する図である。
【図６】本技術の第１の実施の形態の固体撮像素子の製造方法を説明する図である。
【図７】本技術の第１の実施の形態の固体撮像素子の製造方法を説明する図である。
【図８】本技術の第１の実施の形態の固体撮像素子の製造方法を説明する図である。
【図９】本技術の第１の実施の形態の固体撮像素子の製造方法を説明する図である。
【図１０】本技術の第１の実施の形態の固体撮像素子の構成を示す図である。
【図１１】本技術の第１の実施の形態の固体撮像素子の構成を示す図である。
【図１２】本技術の第１の実施の形態の固体撮像素子の構成を示す図である。
【図１３】本技術の第１の実施の形態の固体撮像素子の構成を示す図である。
【図１４】本技術の第１の実施の形態の固体撮像素子の構成を示す図である。
【図１５】本技術の第１の実施の形態の固体撮像素子の構成を示す図である。
【図１６】本技術の第１の実施の形態の固体撮像素子の構成を示す図である。
【図１７】本技術の第１の実施の形態の固体撮像素子の構成を示す図である。
【図１８】本技術の第１の実施の形態の固体撮像素子の構成を示す図である。
【図１９】本技術の第１の実施の形態の固体撮像素子の構成を示す図である。
【図２０】本技術の第１の実施の形態の固体撮像素子の構成を示す図である。
【図２１】本技術の第１の実施の形態の固体撮像素子の構成を示す図である。
【図２２】本技術の第１の実施の形態の固体撮像素子の構成を示す図である。
【図２３】本技術の第１の実施の形態の固体撮像素子の構成を示す図である。
【図２４】本技術の第１の実施の形態の固体撮像素子の構成を示す図である。
【図２５】本技術の第１の実施の形態の固体撮像素子の構成を示す図である。
【図２６】本技術の第２の実施の形態の固体撮像素子の構成を示す図である。
【図２７】本技術の第２の実施の形態の固体撮像素子の構成を示す図である。
【図２８】本技術の第２の実施の形態の固体撮像素子の特性を説明する図である。
【図２９】本技術の第２の実施の形態の固体撮像素子の製造方法を説明するフローチャートである。
【図３０】本技術の第２の実施の形態の固体撮像素子の製造方法を説明する図である。
【図３１】本技術の第２の実施の形態の固体撮像素子の製造方法を説明する図である。
【図３２】本技術の第２の実施の形態の固体撮像素子の構成を示す図である。
【図３３】本技術の第２の実施の形態の固体撮像素子の構成を示す図である。
【図３４】本技術の第２の実施の形態の固体撮像素子の構成を示す図である。
【図３５】本技術の第２の実施の形態の固体撮像素子の構成を示す図である。
【図３６】本技術の第２の実施の形態の固体撮像素子の構成を示す図である。
【図３７】本技術の第２の実施の形態の固体撮像素子の構成を示す図である。
【図３８】本技術の第２の実施の形態の固体撮像素子の構成を示す図である。
【図３９】本技術の第２の実施の形態の固体撮像素子の構成を示す図である。
【図４０】本技術の第２の実施の形態の固体撮像素子の製造方法を説明するフローチャートである。
【図４１】本技術の第２の実施の形態の固体撮像素子の製造方法を説明する図である。
【図４２】本技術の第３の実施の形態の電子機器の構成を説明する図である。
【発明を実施するための形態】
【００３３】
以下、本技術を実施するための実施の形態について説明する。なお、説明は以下の順序で行う。
１．第１の実施の形態：FDTIとRDTIの組み合わせ（図１乃至図２５）
（１）固体撮像素子の概略構成例（図１）
（２）FDTIとRDTIの組み合わせの構成（図２、図１０、図１１）
（３）固体撮像素子の製造方法（図３乃至図９）
（４）FDTIとRDTIの他の組み合わせの構成１（図１２、図１３）
（５）FDTIとRDTIの他の組み合わせの構成２（図１４、図１５）
（６）FDTIとRDTIの他の組み合わせの構成３（図１６、図１７）
（７）FDTIとRDTIの他の組み合わせの構成４（図１８、図１９）
（８）FDTIとRDTIの他の組み合わせの構成５（図２０、図２１）
（９）FDTIとRDTIの他の組み合わせの構成６（図２２、図２３）
（１０）FDTIとRDTIの他の組み合わせの構成７（図２４、図２５）
２．第２の実施の形態：FDTI（図２６乃至図４１）
（１）FDTIの構成（図２６、図２７、図２８）
（２）FDTIの製造方法（図２９、図３０、図３１）
（３）FDTIの他の構成１（図３２）
（４）FDTIの他の構成２（図３３）
（５）FDTIの他の構成３（図３４）
（６）FDTIの他の構成４（図３５）
（７）FDTIの他の構成５（図３６）
（８）FDTIの他の構成６（図３７）
（９）FDTIの他の構成７（図３８）
（１０）FDTIの他の構成８（図３９）
（１１）FDTIの他の製造方法（図４０、図４１）
３．第３の実施の形態：（固体撮像素子を用いた電子機器）（図４２）
４．その他
【００３４】
＜第１の実施の形態＞
（FDTIとRDTIの組み合わせ）
（１）固体撮像素子の概略構成例
図１は、本技術の第１の実施の形態の固体撮像素子の構成を示す図である。 図１は、本技術の固体撮像素子が設けられる固体撮像素子の一例として、ＭＯＳ（Metal Oxide Semiconductor）型の固体撮像素子の概略構成を示す。
【００３５】
この図に示す固体撮像素子１は、支持基板２の一面上に光電変換領域を含む複数の画素３が２次元的に配列された画素領域４を有している。画素領域４に配列された各画素３には、光電変換領域、フローティングディフュージョン、読出ゲート、その他の複数のトランジスタ（いわゆるＭＯＳトランジスタ）、および容量素子等で構成された画素回路とが設けられている。なお、複数の画素３で画素回路の一部を共有している場合もある。
【００３６】
以上のような画素領域４の周辺部分には、垂直駆動回路５、カラム信号処理回路６、水平駆動回路７、およびシステム制御回路８などの周辺回路が設けられている。
【００３７】
垂直駆動回路５は、例えばシフトレジスタによって構成され、画素駆動線９を選択し、選択された画素駆動線９に画素３を駆動するためのパルスを供給し、画素領域４に配列された画素３を行単位で駆動する。すなわち、垂直駆動回路５は、画素領域４に配列された各画素を行単位で順次垂直方向に選択走査する。そして、画素駆動線９に対して垂直に配線された垂直駆動線１０を介して、各画素３において受光量に応じて生成された信号電荷に基づく画素信号をカラム信号処理回路６に供給する。
【００３８】
カラム信号処理回路６は、画素の例えば列ごとに配置されており、１行分の画素３から出力される信号を画素列ごとにノイズ除去などの信号処理を行う。すなわちカラム信号処理回路６は、画素固有の固定パターンノイズを除去するための相関二重サンプリング（ＣＤＳ：Correlated Double sampling）や、信号増幅、アナログ／デジタル変換（ＡＤ：Analog/Digital Conversion）等の信号処理を行う。
【００３９】
水平駆動回路７は、例えばシフトレジスタによって構成され、水平走査パルスを順次出力することによって、カラム信号処理回路６の各々を順番に選択し、カラム信号処理回路６の各々から画素信号を出力させる。
【００４０】
システム制御回路８は、入力クロックと、動作モードなどを指令するデータを受け取り、また固体撮像素子１の内部情報などのデータを出力する。すなわち、システム制御回路８では、垂直同期信号、水平同期信号及びマスタクロックに基づいて、垂直駆動回路５、カラム信号処理回路６、および水平駆動回路７などの動作の基準となるクロック信号や制御信号を生成する。そして、これらの信号を垂直駆動回路５、カラム信号処理回路６、および水平駆動回路７等に入力する。
【００４１】
以上のような各周辺回路と、画素領域４に設けられた画素回路とで、各画素を駆動する駆動回路が構成されている。なお、周辺回路は、画素領域４に積層される位置に配置されていてもよい。
【００４２】
（２）FDTIとRDTIの組み合わせの構成
図２は、本技術の第１の実施の形態の固体撮像素子の構成を示す図である。以下、図２を参照して、固体撮像素子１の主にFDTI（Front Deep Trench Isolation）とRDTI（Rear Deep Trench Isolation）の組み合わせの構成について説明する。
【００４３】
図２は、図１の固体撮像素子１の一部である固体撮像素子５１の構成を示している。図２のＢと図２のＣは、それぞれ固体撮像素子５１の裏面と表面の構成を表しており、図２のＡは、図２のＣのＡ−Ａ’線における固体撮像素子５１の断面の構成を表している。
【００４４】
図２のＡには、半導体層１６３の上側（裏面側）に、カラーフィルタ６６とレンズ６７を有する光学層１６４が配置され、下側（表面側）には何も配置されていない状態が示されている。しかし、実際には、後述する図７のＢに示されるように、半導体層１６３の第１の面側（表面側）に配線層１６２が配置され、第１の面に対向する第２の面側（裏面側）に光学層１６４が配置される構成とされる。すなわち、固体撮像素子１は、裏面照射型のCMOS（Complementary Metal Oxide Semiconductor）イメージセンサに代表される固体撮像素子である。
【００４５】
半導体層１６３には、光電変換部としてのフォトダイオード６５が形成されている。このフォトダイオード６５には、それぞれに対応してレンズ６７が配置されている。フォトダイオード６５は光学層１６４、すなわちレンズ６７とカラーフィルタ６６を介して入射された、カラーフィルタ６６の色に対応する光を光電変換する。半導体層１６３において、各フォトダイオード６５は、分離部であるFDTI６１とRDTI６２により分離されている。
【００４６】
第１の分離部であるFDTI６１は、固体撮像素子５１の表面側から形成されたトレンチ（後述する図４のＢのトレンチ１１１）に基づき形成された分離部である。すなわちFDTI６１は、固体撮像素子５１の表面（図２のＡの下側の面、すなわちレンズ６７が配置される面と反対側の面、つまり後述する図７のＢに示される配線層１６２が配置される側）から形成されたトレンチに基づき形成された分離部である。FDTI６１を構成するトレンチの表面には、Ｎ型の不純物で形成された不純物層６３と、Ｐ型の不純物で形成された不純物層６４を有している。
【００４７】
第２の分離部であるRDTI６２は、逆に固体撮像素子５１の裏面（図２のＡの上側の面、すなわちレンズ６７が配置される側の面）から形成されたトレンチ（後述する図６のＤのトレンチ１７１）に基づき形成された分離部である。
【００４８】
図２のＡに示されるように、この実施の形態では、FDTI６１とRDTI６２は、フォトダイオード６５の同じ側面に対向して、レンズの６７光軸と平行な方向（すなわち縦方向）に並ぶように配置されている。また、FDTI６１とRDTI６２は直接接しているが、両者はオフセット（すなわち離間）していてもよい。オフセットしている場合には、そこにＰ型の不純物が挿入される。
【００４９】
またこの実施の形態では、図２のＢに示されるように、裏面側（フォトダイオード６５のレンズ６７側）の４つの側面がRDTI６２により分離されている。これに対して、図２のＣに示されるように、表面側（レンズ６７と反対側）の４つの側面のうち、３つの側面がFDTI６１により分離されている。すなわち、隣接する２×２個のフォトダイオード６５は、１つのブロックを構成し、その周囲の側面は、FDTI６１により分離されている。
【００５０】
各ブロックの中央にはフローティングディフュージョン（FD）７１が配置され、各フォトダイオード６５のFD７１の近傍には、転送ゲート（TG）７２が配置されている。また各ブロックの図２のＣの下側には、画素トランジスタ７３が配置されている。画素トランジスタ７３とフォトダイオード６５はFDTI６１により分離されている。
【００５１】
各ブロック内の２×２個のフォトダイオード６５のうち、図２のＣにおいて上下方向に隣接するフォトダイオード６５は、ボロンなどのＰ型の不純物層８１で分離されている。また、各ブロック内の２×２個のフォトダイオード６５のうち、図２のＣにおいて左右方向に隣接するフォトダイオード６５は、その一部がFDTI６１により分離され、残りの一部が不純物層８１により分離されている。
【００５２】
（３）固体撮像素子の製造方法
次に、図３乃至図７を参照して、固体撮像素子５１の製造方法について説明する。図３は、本技術の第１の実施の形態の固体撮像素子の製造方法を説明するフローチャートであり、図４乃至図７は、本技術の第１の実施の形態の固体撮像素子の製造方法を説明する図である。
【００５３】
最初にステップＳ１１において、基板を用意する処理が実行される。図４のＡには用意された例えばシリコン（Ｓｉ）の基板１０１が示されている。ステップＳ１２において、FDTI６１のためのトレンチを加工する処理が実行される。すなわち図４のＢに示されるように、ステップＳ１１で用意された基板１０１に、リソグラフィとエッチングによりトレンチ１１１が形成される。図４のＢにおいて、上方向が半導体層１６３の表面側（すなわち配線層１６２が配置される側）である。つまりトレンチ１１１は、半導体層１６３の表面側（すなわち配線層１６２が配置される第１の面側）から形成される（後述する図７のＢのFDTI６１を形成するためのトレンチである）。
【００５４】
ステップＳ１３において、Ｎ型の不純物をドーピングした膜をトレンチ１１１の表面に形成する処理が実行される。例えば図４のＣに示されるように、リン（Ｐ）をドーピングした膜１２１がトレンチ１１１の内部にCVD（Chemical Vapor Deposition）等により成膜される。
【００５５】
ステップＳ１４において、Ｎ型不純物を固相拡散する処理が実行される。つまりステップＳ１３の処理で形成されたリンの膜１２１を熱処理することで固相拡散させる。まだフォトダイオード６５が形成される前のなで、熱処理により支障を来す恐れは少ない。これにより図４のＤに示されるように、トレンチ１１１の周囲の基板１０１内に、Ｎ型の不純物層６３が形成される。
【００５６】
ステップＳ１５において、Ｎ型の不純物をドーピングした膜１２１を除去する処理が実行される。つまり、ステップＳ１３でトレンチ１１１内に形成された膜１２１が除去される。これにより図５のＡに示されるように、トレンチ１１１の周囲の基板１０１内に、Ｎ型の不純物層６３が形成された状態になる。
【００５７】
ステップＳ１６において、Ｐ型の不純物をドーピングした膜をトレンチ１１１の表面に形成する処理が実行される。例えば図５のＢに示されるように、ボロン（Ｂ）などのＰ型の不純物の膜１３１がトレンチ１１１の内部にCVD等により成膜される。
【００５８】
ステップＳ１７において、Ｐ型の不純物を固相拡散する処理が実行される。すなわち、ステップＳ１６で形成されたＰ型の不純物の膜１３１に対して熱処理を行うことで、Ｐ型の不純物が固相拡散される。まだフォトダイオード６５が形成される前なので、熱処理により支障を来す恐れは少ない。これにより例えば図５のＣに示されるように、トレンチ１１１の周囲の基板１０１内に（つまり、不純物層６３が形成されている領域に）、Ｐ型の不純物層６４が形成される。
【００５９】
ステップＳ１８において、Ｐ型の不純物をドーピングした膜１３１を除去する処理が実行される。すなわち、図５のＤに示されるように、ステップＳ１６で固相拡散のためにトレンチ１１１内に形成された膜１３１が除去され、トレンチ１１１の周囲の基板１０１内に、Ｎ型の不純物層６３とＰ型の不純物層６４が形成された状態になる。
【００６０】
１ＳＲと同程度の濃度のＮ型の不純物層６３とＰ型の不純物層６４を形成することで、FDTI６１の側壁に強電界部が作成され、画素間の分離と飽和電荷量Ｑｓの向上の両方を実現することができる。
【００６１】
ステップＳ１９において、FDTIのトレンチ１１１に絶縁物を埋め込む処理が実行される。例えば図６のＡに示されるように、トレンチ１１１にＳｉＯ2のような絶縁体からなる埋め込み膜１４１が埋め込まれる。このようにしてFDTI６１が形成される。
【００６２】
ステップＳ２０において、フォトダイオード６５を形成する処理が実行される。すなわち図６のＢに示されるように、Ｎ型不純物をイオン注入することでフォトダイオード６５が形成される。このようにして半導体層１６３が形成される。さらにゲート、周辺トランジスタ、配線層が形成される。
【００６３】
また、フォトダイオード６５とフォトダイオード６５の間の領域１５１にRDTI６２のピニングを取るため、Ｐ型の不純物が注入される。ただし、RDTI６２の表面に、固定電荷膜を使用する場合にはこの処理は省略することができる。固定電荷膜については後述する。
【００６４】
ステップＳ２１において、支持基盤を貼り合わせる処理が実行される。これにより図６のＣに示されるように、支持基盤１６１の上に配線層１６２が配置され、その上に半導体層１６３が配置された構成が実現される。配線層１６２には、フォトダイオード６５に対して信号を送受する配線が配置される。そして受光面側（すなわち図６のＣの半導体層１６３の上側の面）が研磨される。
【００６５】
ステップＳ２２において、RDTI６２のトレンチを加工する処理が実行される。すなわち図６のＤに示されるように、フォトダイオード６５とフォトダイオード６５の間の領域１５１に、RDTI６２のトレンチ１７１が形成される。図６のＤにおいて、上方向が半導体層１６３の裏面側（すなわち光学層１６４が配置される第２の面側）である。つまりトレンチ１７１は、半導体層１６３の裏面側（すなわち光学層１６４が配置される側）から形成される（後述する図７のＢのRDTI６２を形成するためのトレンチである）。
【００６６】
ステップＳ２３において、RDTI６２のトレンチ１７１に埋め込み膜を埋め込む処理が実行される。すなわち図７のＡに示されるように、フォトダイオード６５とフォトダイオード６５の間の領域１５１に、ＳｉＯ2等の絶縁体よりなる埋め込み膜１８１が埋め込まれる。このようにして、FDTI６１の上に（受光面側に）RDTI６２が形成される。
【００６７】
ステップＳ２４において、カラーフィルタ６６やレンズ６７を形成する処理が実行される。すなわち、図７のＢに示されるように、カラーフィルタ６６やレンズ６７からなる光学層１６４が半導体層１６３の上に形成される。つまり、レンズ６７は裏面側に配置され、配線層１６２は表面側（レンズ６７と反対側）に配置される。このようにして固体半導体素子５１が製造される。
【００６８】
なお、図８と図９に示されるような製造方法を採用することもできる。図８は、本技術の第１の実施の形態の固体撮像素子の製造方法を説明する図である。FDTI６１の深さは０．５乃至２μｍであり、０．３μｍ前後のSTI（Shallow Trench Isolation）より深い。FDTI６１とRDTI６２に加えて、STIを組み合わせることできる。この場合、図８のＡに示されるように、先にSTI１９１が形成された後に、トレンチ１１１が形成され、さらにＮ型の不純物層６３が固相拡散される。そしてさらに図８のＢに示されるように、Ｐ型の不純物層６４が固相拡散される。フォトダイオード６５の注入処理や周辺トランジスタの形成は、さらにその後で実行される。
【００６９】
図９は、本技術の第１の実施の形態の固体撮像素子の製造方法を説明する図である。この例では、フォトダイオード６５の注入処理やゲート２０１の形成処理が行われた後、画素トランジスタやロジックトランジスタのＬＤＤ（Lightly Doped Drain）、サイドウォール、ソース、ドレイン等が形成される。そして図９のＡに示されるように、トレンチ１１１が形成され、Ｎ型の不純物層６３が固相拡散により形成される。さらに図９のＢに示されるように、Ｐ型の不純物層６４が固相拡散により形成される。
【００７０】
また、以上の例においては、FDTI６１とRDTI６２が直接接するように形成されていたが、縦方向または横方向にオフセットさせることもできる。図１０はこの場合の例を示している。図１０は、本技術の第１の実施の形態の固体撮像素子の構成を示す図である。図１０の例においては、FDTI６１がRDTI６２に対して若干内側にオフセットしている（つまりずれている）。
【００７１】
図２に示される固体撮像素子５１は、その裏面の構成を、図２のＢに示される構成に代えて、図１１に示されるように構成することもできる。図１１は、本技術の第１の実施の形態の固体撮像素子の構成を示す図である。図１１を図２のＢと比較して明らかなように、図１１の構成例においては、各フォトダイオード６５の４つの側面に接するRDTI６２の交点の部分が、Ｐ型の不純物層８１で分離されるように構成されている。その他の構成は図２のＢに示される場合と同様である。
【００７２】
（４）FDTIとRDTIの他の組み合わせの構成１
以下、FDTI６１とRDTI６２の他の組み合わせの構成について説明する。図１２は、本技術の第１の実施の形態の固体撮像素子の構成を示す図である。図１２のＢと図１２のＣは、それぞれ固体撮像素子５１の裏面と表面の構成を表しており、図１２のＡは、図１２のＣのＡ−Ａ’線における固体撮像素子５１の断面の構成を表している。
【００７３】
図１２の構成例においては、図１２のＢに示されるように、フォトダイオード６５の裏面側の４つの側面がRDTI６２により分離されている。これに対して、表面側は、図１２のＣに示されるように、表面側（図１２のＡにおいて下側）の２×２個のフォトダイオード６５が１つのブロックを構成し、その周囲がFDTI６１により分離されている。
【００７４】
各ブロック内の２×２個のフォトダイオード６５のうち、図１２のＣにおいて左右に隣接するフォトダイオード６５は、Ｐ型の不純物層８１で分離されている。また、各ブロック内の２×２個のフォトダイオード６５のうち、図１２のＣにおいて上下に隣接するフォトダイオード６５は、その左右端部側の一部がFDTI６１により分離され、残りの中央側の一部が不純物層８１により分離されている。表面側の４つの側面のうち、３つの側面がFDTI６１により分離されている。
【００７５】
従って、図１２のＡに示されるように、図１２のＣのＡ−Ａ’線の断面の構成は、表面側（図１２のＡの下側）においては、左右方向に並ぶフォトダイオード６５がFDTI６１と不純物層８１により交互に分離されている。裏面側（図１２のＡの上側）においては、フォトダイオード６５がRDTI６２により分離されている。つまり、フォトダイオード６５の１つの側面は、FDTI６１とRDTI６２により分離され、他の１つの側面は、RDTI６２と不純物層８１により分離されている。その他の構成は図２における場合と同様である。
【００７６】
図１３は、本技術の第１の実施の形態の固体撮像素子の構成を示す図である。図１２に示される固体撮像素子５１は、その裏面の構成を、図１２のＢに示される構成に代えて、図１３に示されるように構成することもできる。図１３を図１２のＢと比較して明らかなように、図１３の構成例においては、各フォトダイオード６５の４つの側面に接するRDTI６２の交点の部分が、Ｐ型の不純物層８１で構成されている。その他の構成は図１２のＢに示される場合と同様である。
【００７７】
（５）FDTIとRDTIの他の組み合わせの構成２
図１４は、本技術の第１の実施の形態の固体撮像素子の構成を示す図である。図１４のＢと図１４のＣは、それぞれ固体撮像素子５１の裏面と表面の構成を表しており、図１４のＡは、図１４のＣのＡ−Ａ’線における固体撮像素子５１の断面の構成を表している。
【００７８】
図１４は、デュアルピクセルの構成例を表している。この構成例においては、図１２のＢに示されるように、Ｒ（赤），Ｇ（緑）、Ｂ（青）の各色のうち、同色のフォトダイオード６５が２個ずつ横に並んで配置されている。図１４のＢの例では、左上の２個と右下の２個のフォトダイオード６５がＧとされ、右上の２個のフォトダイオード６５がＢとされ、左下の２個のフォトダイオード６５がＲとされている。
【００７９】
そして、図１４のＢに示されるように、裏面側においては、同じ色の２個のフォトダイオード６５によりブロックが構成され、ブロックとブロックは、RDTI６２により分離されている。また、ブロック内の隣接する同じ色の２個のフォトダイオード６５は、ボロンなどのＰ型の不純物層８１により分離されている。例えば、右上のＢのブロックの２個のフォトダイオード６５は、不純物層８１により分離されている。ＧとＲのブロックにおいても同様である。
【００８０】
一方、図１４のＣに示されるように、表面側においては、２×２個のフォトダイオード６５のブロックが、基本的にFDTI６１により分離されている。そして図中縦方向に延在するFDTI６１のほぼ中央の部分は、不純物層８１により置換されている。また、ブロック内では２×２個のフォトダイオード６５は、不純物層８１により分離されている。
【００８１】
図１４のＣのＡ−Ａ’線の断面の構成である図１４のＡに示されるように、同じ色のフォトダイオード６５の分離は不純物層８１により行われている。例えばＲのカラーフィルタ６６Ｒの左右方向の中央や、Ｇのカラーフィルタ６６Ｇの左右方向の中央に位置するフォトダイオード６５の境界は、不純物層８１により分離が行われている。色の境目においては、裏面側（図中上側）がRDTI６２により、表面側（図中下側）がFDTI61により、分離が行われている。
【００８２】
図１４の例では、同色画素間はRDTI６２で分離しない構成としたが、RDTI６２で分離する構成にすることもできる。また同色画素間の表面側で、電荷をトンネルさせる構造のOFSを使用する場合には、同色画素間にFDTI６１は形成しないようにし、OFSを使用する場合には、FDTI61を形成することができる。
【００８３】
図１５は、本技術の第１の実施の形態の固体撮像素子の構成を示す図である。図１４に示される固体撮像素子５１は、その裏面の構成を、図１４のＢに示される構成に代えて、図１５に示されるように構成することもできる。図１５を図１４のＢと比較して明らかなように、図１５の構成例においては、RDTI６２同士の交点の部分、およびRDTI６２と不純物８１の交点の部分が、Ｐ型の不純物層８１で分離されるように構成されている。その他の構成は図１４のＢに示される場合と同様である。
【００８４】
（６）FDTIとRDTIの他の組み合わせの構成３
図１６は、本技術の第１の実施の形態の固体撮像素子の構成を示す図である。図１６のＢと図１６のＣは、それぞれ固体撮像素子５１の裏面と表面の構成を表しており、図１６のＡは、図１６のＣのＡ−Ａ’線における固体撮像素子５１の断面の構成を表している。
【００８５】
図１６は、フォトダイオード６５が２段に構成されている場合の例を表している。図１６のＢに示されるように、裏面側の２×２個のフォトダイオード６５がブロックを構成し、各ブロックはRDTI６２により分離されている。各ブロック内の２×２個のフォトダイオード６５は、不純物層８１により分離されている。
【００８６】
表面側は図１２のＣの例と同様に構成されている。すなわち、図１６のＣに示されるように、表面側の２×２個のフォトダイオード６５が１つのブロックを構成し、その周囲がFDTI６１により分離されている。
【００８７】
各ブロック内の２×２個のフォトダイオード６５のうち、図１６のＣにおいて左右に隣接するフォトダイオード６５は、Ｐ型の不純物層８１で分離されている。また、各ブロック内の２×２個のフォトダイオード６５のうち、図１６のＣにおいて上下に隣接するフォトダイオード６５は、その左右端部の一部がFDTI６１により分離され、残りの中央側の一部が不純物層８１により分離されている。
【００８８】
従って、図１６のＡに示されるように、図１６のＣのＡ−Ａ’線の断面の構成は、表面側（図中下側）においては、左右方向に並ぶ下段のフォトダイオード６５がFDTI６１と不純物層８１により交互に分離されている。裏面側（図中上側）においては、左右方向に並ぶ上段のフォトダイオード６５がRDTI６２と不純物層８１により交互に分離されている。
【００８９】
２段のフォトダイオード６５の電荷転送には、縦型トランジスタ構造を用いたり、イオン注入により不純物で転送用のプラグを形成することができる。
【００９０】
図１７は、本技術の第１の実施の形態の固体撮像素子の構成を示す図である。図１６に示される固体撮像素子５１は、その裏面の構成を、図１６のＢに示される構成に代えて、図１７に示されるように構成することもできる。図１７を図１６のＢと比較して明らかなように、図１７の構成例においては、RDTI６２同士の交点の部分と、RDTI６２と不純物層８１との交点の部分が、Ｐ型の不純物層８１で分離されるように構成されている。その他の構成は図１６のＢに示される場合と同様である。
【００９１】
（７）FDTIとRDTIの他の組み合わせの構成４
図１８は、本技術の第１の実施の形態の固体撮像素子の構成を示す図である。図１８のＢと図１８のＣは、それぞれ固体撮像素子５１の裏面と表面の構成を表しており、図１８のＡは、図１８のＣのＡ−Ａ’線における固体撮像素子５１の断面の構成を表している。
【００９２】
裏面側においては、図１８のＢに示されるように、２×２個のフォトダイオード６５がブロックを構成し、各ブロックはFDTI６１により分離されている。各ブロック内の２×２個のフォトダイオード６５は、RDTI６２により分離されている。
【００９３】
表面側においては、図１８のＣに示されるように、２×２個のフォトダイオード６５が１つのブロックを構成し、その周囲がFDTI６１により分離されている。
【００９４】
各ブロック内においては、左右方向に隣接するフォトダイオード６５と、上下方向に隣接するフォトダイオード６５は、それぞれＰ型の不純物層８１で分離されている。
【００９５】
従って、図１８のＡに示されるように、図１８のＣのＡ−Ａ’線の断面では、左右方向に並ぶフォトダイオード６５がFDTI６１と不純物層８１により交互に分離されている。
【００９６】
図１９は、本技術の第１の実施の形態の固体撮像素子の構成を示す図である。図１８に示される固体撮像素子５１は、その裏面の構成を、図１８のＢに示される構成に代えて、図１９に示されるように構成することもできる。図１９を図１８のＢと比較して明らかなように、図１９の構成例においては、各ブロック内のRDTI６２の交点の部分が、Ｐ型の不純物層８１で分離されるように構成されている。その他の構成は図１８のＢに示される場合と同様である。
【００９７】
（８）FDTIとRDTIの他の組み合わせの構成５
図２０は、本技術の第１の実施の形態の固体撮像素子の構成を示す図である。図２０のＢと図２０のＣは、それぞれ固体撮像素子５１の裏面と表面の構成を表しており、図２０のＡは、図２０のＣのＡ−Ａ’線における固体撮像素子５１の断面の構成を表している。
【００９８】
図２０の実施の形態の固体撮像素子５１においては、図２０のＢに示されるように、裏面側の２×２個のフォトダイオード６５が１つのブロックを構成し、ブロックの左右の境界がFDTI６１により分離され、上下の境界がRDTI62により分離されている。
【００９９】
ブロック内においては、フォトダイオード６５を上下に分離する上下の境界の左右の端部付近がFDTI６１により分離され、左右に分離する左右の境界は、その中央付近がFDTI６１により分離されている。結局、フォトダイオード６５は、３つの側面がFDTI６１により分離され、残りの１つの側面がRDTI６２により分離されている。
【０１００】
図２０のＣに示されるように、表面側においては、２×２個のフォトダイオード６５が１つのブロックを構成し、ブロックの左右の境界はFDTI６１により分離され、上下の境界は不純物層８１により分離されている。
【０１０１】
ブロック内においては、図２０のＣの左右の境界は上下の端部付近がFDTI６１により分離されており、上下の境界も左右の端部付近がFDTI６１により分離されている。ブロック内の中央付近では、上下と左右のいずれの境界においても不純物層８１により分離されている。
【０１０２】
図２０のＡに示されるように、図２０のＣのＡ−Ａ’線の断面では、フォトダイオード６５がFDTI６１により分離されている。
【０１０３】
図２１は、本技術の第１の実施の形態の固体撮像素子の構成を示す図である。図２０に示される固体撮像素子５１は、その裏面の構成を、図２０のＢに示される構成に代えて、図２１に示されるように構成することもできる。図２１を図２０のＢと比較して明らかなように、図２１の構成例においては、各ブロック内の２×２個のフォトダイオード６５の中央部分は、上下と左右にRDTI６２により分離されるように構成されている。すなわち、FDTI６１とRDTI６２は、フォトダイオード６５の同じ側面に対してレンズ６７の光軸と垂直な方向（横方向）に並ぶように配置されている。また、フォトダイオード６５の２つの側面はFDTI６１とRDTI６２により分離され、残りの２つの側面はFDTI６１またはRDTI６２により分離されている。その他の構成は図２０のＢに示される場合と同様である。
【０１０４】
（９）FDTIとRDTIの他の組み合わせの構成６
図２２は、本技術の第１の実施の形態の固体撮像素子の構成を示す図である。図２２のＢと図２２のＣは、それぞれ固体撮像素子５１の裏面と表面の構成を表しており、図２２のＡは、図２２のＣのＡ−Ａ’線における固体撮像素子５１の断面の構成を表している。
【０１０５】
図２２の実施の形態の固体撮像素子５１においては、図２２のＢに示されるように、裏面側の２×２個のフォトダイオード６５が１つのブロックを構成し、ブロックの左右の境界がFDTI６１により分離され、上下の境界がRDTI６２により分離されている。
【０１０６】
ブロック内においては、上下の境界と左右の境界は、RDTI６２により分離されている。結局、フォトダイオード６５は、３つの側面がRDTI６２により分離され、残りの１つの側面がFDTI６１により分離されている。
【０１０７】
図２２のＣに示されるように、表面側においては、２×２個のフォトダイオード６５が１つのブロックを構成し、ブロックの左右の境界はFDTI６１により分離されている。ブロックの上下の境界は、不純物層８１により分離されている。
【０１０８】
ブロック内においては、上下の境界と左右の境界は、不純物層８１により分離されている。結局、フォトダイオード６５は、３つの側面が不純物層８１により分離され、残りの１つの側面がFDTI６１により分離されている。
【０１０９】
図２２のＡに示されるように、図２２のＣのＡ−Ａ’線の断面では、４個のフォトダイオード６５の左端と右端がFDTI６１により分離されている。そして、左側の２個のフォトダイオードと右側の２個のフォトダイオードの間も、FDTI６１により分離されている。左側の２個のフォトダイオード６５の間と、右側の２個のフォトダイオード６５の間は、それぞれRDTI６２と不純物素８１により分離されている。
【０１１０】
図２３は、本技術の第１の実施の形態の固体撮像素子の構成を示す図である。図２２に示される固体撮像素子５１は、その裏面の構成を、図２２のＢに示される構成に代えて、図２３に示されるように構成することもできる。図２３を図２２のＢと比較して明らかなように、図２３の構成例においては、２×２個のフォトダイオード６５を上下に分離するRDTI６２と左右に分離するRDTI６２の交点部分が、不純物層８１により分離されている。その他の構成は図２２のＢに示される場合と同様である。
【０１１１】
（１０）FDTIとRDTIの他の組み合わせの構成７
図２４は、本技術の第１の実施の形態の固体撮像素子の構成を示す図である。図２４のＢと図２４のＣは、それぞれ固体撮像素子５１の裏面と表面の構成を表しており、図２４のＡは、図２４のＣのＡ−Ａ’線における固体撮像素子５１の断面の構成を表している。
【０１１２】
図２４の実施の形態の固体撮像素子５１においては、図２４のＢに示されるように、裏面側の２×２個のフォトダイオード６５が１つのブロックを構成し、各ブロックを囲む境界がFDTI６１により分離されている。また、各ブロック内においては、２×２個のフォトダイオード６５を上下に分ける境界の左右端部と、左右に分ける境界の上下端部が、FDTI６１により分離されている。また、２×２個のフォトダイオード６５の中央部分の上下の境界と左右の境界は、RDTI６２により分離されている。すなわち、フォトダイオード６５の２つの側面はFDTI６１とRDTI６２により分離され、残りの２つの側面はFDTI６１により分離されている。FDTI６１とRDTI６２は、フォトダイオード６５の同じ側面に対向してレンズ６７の光軸と垂直な方向（横方向）に並ぶように配置されている。
【０１１３】
図２４のＣに示されるように、表面側においても、２×２個のフォトダイオード６５が１つのブロックを構成し、各ブロックを囲む境界がFDTI６１により分離されている。また、各ブロック内においては、２×２個のフォトダイオード６５を上下に分ける境界の左右端部と、左右に分ける境界の上下端部が、FDTI６１により分離されている。各ブロック内の中央付近においては、上下に分ける境界と左右に分ける境界が不純物層８１で分離されている。
【０１１４】
図２４のＡに示されるように、図２４のＣのＡ−Ａ’線の断面では、４個のフォトダイオード６５がFDTI６１により分離されている。
【０１１５】
図２５は、本技術の第１の実施の形態の固体撮像素子の構成を示す図である。図２４に示される固体撮像素子５１は、その裏面の構成を、図２４のＢに示される構成に代えて、図２５に示されるように構成することもできる。図２５を図２４のＢと比較して明らかなように、図２５の構成例においては、２×２個のフォトダイオード６５を中央付近で上下に分離するRDTI６２と左右に分離するRDTI６２の交点部分が、不純物層８１により構成されている。その他の構成は図２４のＢに示される場合と同様である。
【０１１６】
フォトダイオード６５の各辺をFDTI６１とRDTI６２それぞれで単独に分離し、組み合わせることができる。面積の制約を受け易い画素トランジスタ７３やFD７１において、FDTI６１とRDTI６２を使い分けることができる。それにより、フォトダイオード６５の面積を確保し、混色を抑制し、飽和電荷量Ｑｓを向上させることができる。
【０１１７】
以上のように、本技術によれば、FDTI６１またはRDTI６２によりフォトダイオード６５の少なくとも１辺以上を分離するようにしたので、確実な遮光が可能となり、混色を抑制することができる。シリコン膜厚の厚い画素に対しても、遮光効果を向上させることができる。FDTI６１とRDTI６２で分離する箇所を選択することで、フォトダイオード６５の面積を確保することが可能になる。
【０１１８】
また、FDTI６１にＮ型の不純物層６３とＰ型の不純物層６４を固相拡散により形成するようにしたので、FDTI６１の表面に強電界部を形成することができ、飽和電荷量Ｑｓを向上させることができる。
【０１１９】
なお、以上においては、Ｎ型の不純物で形成された不純物層６３とＰ型の不純物で形成された不純物層６４を固相拡散により形成するようにしたが、その他の方法で形成することもできる。例えば、斜めイオン注入、プラズマドーピング、エピタキシャル成長、気相拡散等により形成することもできる。
【０１２０】
＜第２の実施の形態＞
（FDTI）
（１）FDTIの構成（図２６、図２７、図２８）
【０１２１】
図２６と図２７は、本技術の第２の実施の形態の固体撮像素子の構成を示す図である。これらは、個体撮像素子５１の構成を表している。図２６のＢは、図２６のＡのＡ−Ａ’線の断面の構成を表している。図２７のＡは図２６のＡの一部（１個の画素３）の構成を表しており、図２７のＢは図２７のＡのＡ−Ａ’線の断面の構成を表している。なお、これらの図には示されていないが、図２のＡや図７のＢ等に示されているレンズ６７は、図２６のＢと図２７のＢの下側に配置される。
【０１２２】
第２の実施の形態においては、第１の実施の形態におけるFDTI６１とRDTI６２のうち、主にFDTI６１について説明される。すなわち、第２の実施の形態においても、固体撮像素子５１には、図７のＢに示されるように、半導体層１６３の第１の面側（表面側）に配線層１６２が配置され、第１の面に対向する第２の面側（裏面側）に光学層１６４が配置される。そしてその半導体層１６３に形成されるFDTI６１の構成について説明される。
【０１２３】
なお、第２の実施の形態においては、配線層１６２、半導体層１６３、光学層１６４について特に図示されていないが、必要に応じてこれらの用語をそのまま使用する。
【０１２４】
図２６のＡは、図１の画素領域４の一部（３×３個の画素３）の構成を表している。図２６のＡと図２７のＡに示されるように、画素３の表面側には、ほぼ中央に、フォトダイオード３１１（第１の実施の形態のフォトダイオード６５に対応する）が配置されている。そしてその近傍（図２７のＡにおいて上側）に転送ゲート３１３（第１の実施の形態のＴＧ７２に対応する）とＮ型浮遊拡散３１４（第１の実施の形態のＦＤ７１に対応する）が配置されている。
【０１２５】
フォトダイオード３１１の図２７のＡにおいて下側には、STI３２３（第１の実施の形態のSTI１９１に対応する）、画素トランジスタ３１５（第１の実施の形態の７３に対応する）、ゲートポリシリコン３１６が配置されている。
【０１２６】
フォトダイオード３１１の図２７のＡにおける下側の辺の全部、左側の辺の一部、そして右側の辺の一部には、連続してトレンチ３１２（第１の実施の形態のトレンチ１１１に対応する）が形成されている。このトレンチ３１２は、FDTI３１０（第１の実施の形態のFDTI６１に対応する）のためのトレンチである。
【０１２７】
図２７のＢに示される断面構成でみてみると、Ｎ型のフォトダイオード３１１の左側には、トレンチ３１２が形成されている。そしてトレンチ３１２の周囲には、Ｎ型の不純物層３２１（第１の実施の形態の不純物層６３に対応する）と、さらにその内側（トレンチ３１２側）に、Ｐ型の不純物層３３２（第１の実施の形態の不純物層６４に対応する）が形成されている。これらは第１の実施の形態において説明したように、固相拡散により形成される。Ｎ型の不純物層３２１は、Ｎ型のフォトダイオード３１１につながっている。Ｎ型のフォトダイオード３１１の下にはＰ型ウェル３３５が形成されている。
【０１２８】
図２８は、本技術の第２の実施の形態の固体撮像素子の特性を説明する図である。図２８のＡは、図２７のＢのＢ−Ｂ’線断面（すなわちＰＮ接合部）における不純物の濃度プロファイルを表しており、縦軸が濃度、横軸がＢ−Ｂ’線上の深さ（図２７のＢ上の横方向の位置）を表している。曲線３５１で表されるＰ型の不純物のピーク濃度は、例えば1e18/cm3（1e17〜1e19/cm3の間の値）である。曲線３５２で表されるＰＮ接合部のＮ型の不純物のピーク濃度は、例えば1e17/cm3（1e16〜1e18/cm3の間の値）である。ＰＮ接合の深さ（曲線３５１と曲線３５２の交点の深さ）は例えば６０nm（２〜１５０nmの間の値）である。
【０１２９】
固相拡散によれば、拡散源となるトレンチ３１２の側面に急峻なプロファイルを作成することができるため、急峻なＰＮ接合を形成することができる。その結果、Ｎ型の不純物濃度が高くなり、電界を強くすることができ、飽和電荷量Ｑｓを大きくすることができる。図２８のＢは、ＰＮ接合部における電界分布を表しており、縦軸が電界、横軸がＢ−Ｂ’線上の深さを表している。曲線３６１はＢ−Ｂ’線上の電界の強さを表しており、６０nmの深さで電界がピークになることが判る。電界を強くすることができるので、深さを浅くすることができ（この実施の形態においては６０nmにすることができ）、従ってフォトダイオード３１１を広くすることができる。
【０１３０】
トレンチ３１２のＳｉ界面には、例えば５nm（２〜２０nmの間の値）の熱酸化膜（シリコン酸化膜）３２４が形成され、トレンチ３１２の内部は、CVDで形成された埋め込み膜（シリコン酸化膜）３２５が埋め込まれている。トレンチ３１２の転送ゲート３１３と反対側の領域３２７は、固相拡散によりＮ型の不純物層３２１を形成するときＮ型となる。そこでこの領域３２７は、Ｐ型の不純物（例えばボロン）の追加イオン注入によりＰ型とされる。
【０１３１】
このような構造では、ＰＮ接合がトレンチ３１２の界面に近いため、トレンチ３１２のＳｉ界面がＰＮ接合部の空乏層電界の影響を受けるおそれがある。つまりＳｉ界面近傍のＮ型の不純物層３２１とＰ型の不純物層３３２の間にできる空乏層の端部がＳｉ界面に当たり、Ｓｉ界面に弱い電界がかかる。しかし、トレンチ３１２のＳｉ界面が熱酸化膜３２４とされるため、界面準位が抑えられており、暗電流、白傷は、撮像特性として問題がないレベルに抑えることができる。このように、ＰＮ接合の深さを６０nm程度に浅くすることができ、フォトダイオード３１１の面積を広くとることが可能になり、飽和電荷量Ｑｓを大きくすることができる。
【０１３２】
（２）FDTIの製造方法（図２９、図３０、図３１）
次に、図２９と図３０を参照して、個体撮像素子５１の製造方法について説明する。図２９は、本技術の第２の実施の形態の固体撮像素子の製造方法を説明するフローチャートであり、図３０は、本技術の第２の実施の形態の固体撮像素子の製造方法を説明する図である。
【０１３３】
最初にステップＳ１０１においてトレンチ３１２を形成する処理が実行される。すなわち、例えばシリコンの基板４０１（第１の実施の形態の図４の基板１０１に対応する）が用意され、その表面にマスク用のシリコン窒化膜４１１が成膜される。そしてシリコン窒化膜４１１をマスクとしてリソグラフィとエッチングによりトレンチ３１２が表面側から形成される（図３０のＡ）。
【０１３４】
第１の実施の形態の図４のＢにおける場合と同様に、図３０のＡにおいて、上方向が半導体層１６３の表面側（すなわち配線層１６２が配置される側）である。つまりトレンチ３１２は、半導体層１６３の表面側（すなわち配線層１６２が配置される側）から形成される。
【０１３５】
ステップＳ１０２において、固相拡散によりトレンチ３１２の周囲にＮ型の不純物層３２１を形成する処理が実行される。すなわち、Ｎ型の不純物である例えばリン（Ｐ）をドーピングしたリンドープシリコン酸化膜４２１が成膜され、熱処理によりトレンチ３１２の周囲にＮ型の不純物層３２１が形成される（図３０のＢ）。その後、リンドープシリコン酸化膜４２１が除去される。そして熱処理により、シリコン基板４０１内のリンのプロファイルがブロードにされる。
【０１３６】
ステップＳ１０３において、固相拡散によりトレンチ３１２の周囲にＰ型の不純物層３３２を形成する処理が実行される。すなわち、Ｐ型の不純物である例えばボロン（Ｂ）をドーピングしたボロンドープシリコン酸化膜４３１が成膜され、熱処理によりトレンチ３１２の周囲にＰ型の不純物層３３２が形成される（図３０のＣ）。その後、ボロンドープシリコン酸化膜４３１が除去される。
【０１３７】
ステップＳ１０４において、トレンチ３１２の側壁を熱酸化する処理が実行される。すなわち、熱酸化によりトレンチ３１２の側壁に例えば５nmの厚さの熱酸化膜（シリコン酸化膜）３２４が形成される。さらにCVD法によりトレンチ３１２内に埋め込み膜（シリコン酸化膜）３２５が埋め込まれる（図３０のＤ）。このようにしてFDTI３１０が形成される。
【０１３８】
ステップＳ１０５において、フォトダイオード３１１のＮ型／Ｐ型の領域を形成する処理が実行される。すなわち、フォトダイオード３１１にＮ型の不純物がイオン注入される。さらに、トレンチ３１２の転送ゲート３１３と反対側の領域３２７がＰ型の不純物をイオン注入することでＰ型にされる。
【０１３９】
すなわち、Ｎ型の不純物３２１を固相拡散で形成するとき、ドーピングでＮ型となった領域３２７の型が、Ｐ型の不純物をイオン注入することで打ち消され、Ｐ型とされる。また、通常の製造方法に従って、ゲート電極が形成される。
【０１４０】
なお、以上の図３０の製造工程は、図３１に示すようにすることもできる。図３１は、本技術の第２の実施の形態の固体撮像素子の製造方法を説明する図である。
【０１４１】
すなわち、図３０のＡの工程の後、図３０のＢの工程において、リンドープシリコン酸化膜４２１が成膜された後、熱処理をかける前に、リンドープシリコン酸化膜４２１を選択的に除去することができる。つまり、図３１のＡに示されるように、トレンチ３１２内の転送ゲート３１３と反対側（図３１のＡの左側）のリンドープシリコン酸化膜４２１が、リソグラフィとエッチングにより、選択的に除去される。
【０１４２】
その後、熱処理による固相拡散により、トレンチ３１２内の転送ゲート３１３側（図３１のＡの右側）の側壁にのみＮ型の不純物層３２１が形成される（図３１のＡ）。そして図３０のＣを参照して説明したように、トレンチ３１２内にボロンドープシリコン酸化膜４３１が形成され、熱処理で固相拡散させることでＰ型の不純物層３３２が形成される（図３１のＢ）。
【０１４３】
さらに、トレンチ３１２の側壁を熱酸化することで、トレンチ３１２の側壁に熱酸化膜（シリコン酸化膜）３２４が形成される。そしてCVD法によりトレンチ３１２内に埋め込み膜（シリコン酸化膜）３２５が埋め込まれる（図３１のＣ）。
【０１４４】
この場合、トレンチ３１２内の転送ゲート３１３と反対側（図３１のＡの左側）のリンドープシリコン酸化膜４２１が選択的に除去されるので、トレンチ３１２の転送ゲート３１３と反対側（すなわちSTI３２３側）の領域３２７には、Ｎ型の不純物層３２１が形成されない（図３１のＢ）。つまりＰ型の不純物層３３２のみになるので、図２９のステップＳ１０５で行われていた、トレンチ３１２の転送ゲート３１３と反対側の領域３２７を、Ｐ型の不純物をイオン注入することでＰ型に戻す工程は省略することができる。
【０１４５】
（３）FDTIの他の構成１（図３２）
図３２は、本技術の第２の実施の形態の固体撮像素子の構成を示す図である。図３２の固体撮像素子５１の画素３においては、トレンチ３１２内に埋め込まれている埋め込み膜４３１が、不純物ドープ量が1e16/cm3以下のポリシリコンまたはシリコン窒化物とされている。その他の構成は図２７のＢにおける場合と同様である。ポリシリコンまたはシリコン窒化物の方がシリコン酸化膜より埋め込み性がよいので、図２７のＢの場合に較べて、電気特性は同等であるが、埋め込み特性が改善する。
【０１４６】
（４）FDTIの他の構成２（図３３）
図３３は、本技術の第２の実施の形態の固体撮像素子の構成を示す図である。図３３の画素３においては、トレンチ３１２内に埋め込まれている埋め込み膜４４１が、例えばリンの不純物ドープ量が1e16/cm3以上で1e23/cm3以下のポリシリコン、または金属とされる。そしてその埋め込み膜４４１にコンタクト４４２から、例えば−１．２Ｖの電圧がかけられる。
【０１４７】
ポリシリコンに負の電位をかけることにより、シリコン基板のトレンチ３１２の界面にホールが集まるようになり、トレンチ３１２の界面で発生した電子がフォトダイオード３１１の内部に流れ込む前にホールと結合する。これにより暗電流や白傷の発生が抑制される。
【０１４８】
（５）FDTIの他の構成３（図３４）
図３４は、本技術の第２の実施の形態の固体撮像素子の構成を示す図である。図３４の画素３においては、トレンチ３１２の内部の熱酸化膜３２４上に、負の固定電荷をもつ固定電荷膜４５１が形成される。そしてその後、トレンチ３１２内に埋め込み膜３２５としてシリコン酸化膜が埋め込まれる。
【０１４９】
負の固定電荷をもつ固定電荷膜４５１が存在することにより、シリコン基板のトレンチ３１２の界面にホールが集まるようになり、トレンチ３１２の界面で発生した電子がフォトダイオード３１１の内部に流れ込む前にホールと結合する。これにより暗電流や白傷の発生が抑制される。
【０１５０】
負の固定電荷を有する固定電荷膜４５１は、例えば、酸化ハフニウム（ＨｆＯ2）膜、酸化アルミニウム（Ａｌ2Ｏ3）膜、酸化ジルコニウム（ＺｒＯ2）膜、酸化タンタル（Ｔａ2Ｏ5）膜、もしくは酸化チタン（ＴｉＯ2）膜で形成される。前記した種類の膜は、絶縁ゲート型電界効果トランジスタのゲート絶縁膜等に用いられている実績があるので、成膜方法が確立されているので容易に成膜することができる。成膜方法としては、例えば、化学気相成長法、スパッタリング法、原子層蒸着法等を用いることができる。
【０１５１】
また、上記以外の材料としては、酸化ランタン（Ｌａ2Ｏ3）、酸化プラセオジム（Ｐｒ2Ｏ3）、酸化セリウム（ＣｅＯ2）、酸化ネオジム（Ｎｄ2Ｏ3）、酸化プロメチウム（Ｐｍ2Ｏ3）、酸化サマリウム（Ｓｍ2Ｏ3）酸化ユウロピウム（Ｅｕ2Ｏ3）、酸化ガドリニウム（Ｇｄ2Ｏ3）、酸化テルビウム（Ｔｂ2Ｏ3）、酸化ジスプロシウム（Ｄｙ2Ｏ3）、酸化ホルミウム（Ｈｏ2Ｏ3）、酸化エルビウム（Ｅｒ2Ｏ3）、酸化ツリウム（Ｔｍ2Ｏ3）、酸化イッテルビウム（Ｙｂ2Ｏ3）、酸化ルテチウム（Ｌｕ2Ｏ3）、酸化イットリウム（Ｙ2Ｏ3）等を用いることができる。
【０１５２】
さらに、負の固定電荷を有する固定電荷膜４５１は、窒化ハフニウム膜、窒化アルミニウム膜、酸窒化ハフニウム膜または酸窒化アルミニウム膜で形成することも可能である。これらの膜も、例えば、化学気相成長法、スパッタリング法、原子層蒸着法等を用いることができるが、原子層蒸着法を用いれば、成膜中に界面準位を低減するＳｉＯ2層を同時に１ｎｍ程度形成することができ好適である。
【０１５３】
（６）FDTIの他の構成４（図３５）
図３５は、本技術の第２の実施の形態の固体撮像素子の構成を示す図である。図３５の画素３においては、トレンチ３１２の内部に空洞４５５が形成されている。すなわち、この例においては、埋め込み膜が存在しないので、その分だけ工程数が減り、製造工程が効率的となる。
【０１５４】
（７）FDTIの他の構成５（図３６）
図３６は、本技術の第２の実施の形態の固体撮像素子の構成を示す図である。図３６の画素３においては、トレンチ３１２（従ってFDTI３１０）がフォトダイオード３１１の外周だけでなく、外周から内部に連続して、ライン状に内部に食い込むように櫛の歯状に形成されている。
【０１５５】
この場合、トレンチ３１２（従ってフォトダイオード３１１）の表面積が広くなるので、飽和電荷量Ｑｓを大きくすることが可能になる。
【０１５６】
（８）FDTIの他の構成６（図３７）
図３７は、本技術の第２の実施の形態の固体撮像素子の構成を示す図である。図３７の画素３においては、トレンチ３１２（従ってFDTI３１０）がフォトダイオード３１１の外周だけでなく、外周とは不連続に、内部に島状に形成されている。
【０１５７】
この場合にも、トレンチ３１２の表面積が広くなるので、飽和電荷量Ｑｓを大きくすることが可能になる。
【０１５８】
（９）FDTIの他の構成７（図３８）
図３８は、本技術の第２の実施の形態の固体撮像素子の構成を示す図である。図３８の画素３においては、フォトダイオード３１１の表面のＰ型層３２６も固相拡散により形成される。すなわち、図３８のＡを図３０のＣと比較して明らかなように、Ｐ型の不純物層３３２を固相拡散するためにボロンドープシリコン酸化膜４３１を形成するとき、トレンチ３１２の図中右側の部分にはマスク用のシリコン窒化膜４１１が形成されない（図３８のＡ）。その結果、熱処理によりトレンチ３１２からシリコン基板４０１内にＰ型の不純物層３３２を固相拡散させるとき、フォトダイオード３１１の表面にもボロンドープシリコン酸化膜４３１から固相拡散が行われ、Ｐ型層３２６が形成される（図３８のＢ）。
【０１５９】
この場合、Ｎ型フォトダイオード３１１の表面のＰ型層３２６をイオン注入により形成する場合に較べて、Ｎ型フォトダイオード３１１の表面にイオン注入によるダメージが発生しないので、暗電流、白傷の悪化が抑制される。
【０１６０】
（１０）FDTIの他の構成８（図３９）
図３９は、本技術の第２の実施の形態の固体撮像素子の構成を示す図である。図３９のＢは、図３９のＡのＡ−Ａ’線の断面の構成を表している。図３９のＢに示されるように、Ｎ型フォトダイオード３１１の上方であって、左側のトレンチ３１２の右側に、Ｐ型ウェル５０１が形成され、Ｎ型フォトダイオード３１１の上方であって、右側のトレンチ３１２の左側に、Ｐ型ウェル５０２が形成されている。そしてこの図３９の画素３においては、図３９のＡに示されるように、トレンチ３１２（従ってFDTI３１０）が画素３の周囲を囲むように形成されている。つまり、画素トランジスタ３１５は画素３内に配置され、画素３と画素３の間にトレンチ３１２が形成される。
【０１６１】
この場合にも、トレンチ３１２の表面積が広くなるので、飽和電荷量Ｑｓを大きくすることが可能になる。
【０１６２】
（１１）FDTIの他の製造方法（図４０、図４１）
次に、FDTI３１０の他の製造方法について説明する。図４０は、本技術の第２の実施の形態の固体撮像素子の製造方法を説明するフローチャートであり、図４１は、本技術の第２の実施の形態の固体撮像素子の製造方法を説明する図である。
【０１６３】
最初にステップＳ２０１においてトレンチ３１２を形成する処理が実行される。すなわち、シリコン基板４０１が用意され、その表面にマスク用のシリコン窒化膜４１１が成膜される。そしてシリコン窒化膜４１１をマスクとしてリソグラフィとエッチングによりトレンチ３１２が形成される（図４１のＡ）。
【０１６４】
ステップＳ２０２において、斜めイオン注入によりトレンチ３１２の周囲にＮ型の不純物層６０１を形成する処理が実行される。すなわち、例えばリン（Ｐ）がトレンチ３１２内に斜めイオン注入される。その後熱処理により、シリコン基板４０１内のリンのプロファイルがブロードにされる（図４１のＢ）。
【０１６５】
ステップＳ２０３において、斜めイオン注入によりトレンチ３１２の周囲にＰ型の不純物層６１１を形成する処理が実行される。すなわち、例えばボロン（Ｂ）がトレンチ３１２内に斜めイオン注入される。これによりＮ型の不純物層６０１の上に、Ｐ型の不純物層６１１が形成される（図４１のＣ）。
【０１６６】
ステップＳ２０４において、トレンチ３１２の側壁を熱酸化する処理が実行される。すなわち、熱酸化によりトレンチ３１２の側壁に例えば５nmの厚さの熱酸化膜（シリコン酸化膜）３２４が形成される。さらにCVD法によりトレンチ３１２内に埋め込み膜（シリコン酸化膜）３２５が埋め込まれる（図４１のＤ）。このようにしてFDTI３１０が形成される。
【０１６７】
ステップＳ２０５において、フォトダイオード３１１のＮ型／Ｐ型の領域を形成する処理が実行される。すなわち、フォトダイオード３１１にＮ型の不純物がイオン注入される。さらに、トレンチ３１２の転送ゲート３１３と反対側の領域３２７がＰ型の不純物をイオン注入することでＰ型にされる。
【０１６８】
すなわち、Ｎ型の不純物３２１を固相拡散で形成するとき、ドーピングでＮ型となった領域３２７の型が、Ｐ型の不純物をイオン注入することで打ち消され、Ｐ型とされる。また、通常の製造方法に従って、ゲート電極が形成される。
【０１６９】
この他、Ｎ型の不純物層６０１やＰ型の不純物層６１１を、斜めイオン注入の他、プラズマドーピング、エピタキシャル成長、気相拡散等により形成することもできる。
【０１７０】
＜第３の実施の形態＞
（固体撮像素子を用いた電子機器）（図４２）
上述の実施の形態で説明した本技術に係る固体撮像素子は、例えばデジタルカメラやビデオカメラ等のカメラシステム、さらには撮像機能を有する携帯電話機、あるいは撮像機能を備えた他の機器などの電子機器に適用することができる。以下、図４２を参照して、この電子機器について説明する。
【０１７１】
図４２は、本技術の第３の実施の形態の電子機器の構成を説明する図である。 図４２は、本技術に係る電子機器の一例として、固体撮像素子を用いたカメラの構成図を示す。本実施の形態に係るカメラは、静止画像又は動画撮影可能なビデオカメラを例としたものである。このカメラ７００は、固体撮像素子１、固体撮像素子１の受光センサ部に入射光を導く光学系７０１、シャッタ装置７０２、固体撮像素子１を駆動する駆動回路７０３、および固体撮像素子１の出力信号を処理する信号処理回路７０４を有する。
【０１７２】
固体撮像素子１には、上述した各実施の形態で説明した構成が採用される。光学系７０１は、被写体からの像光を固体撮像素子１の撮像面上に結像させる。これにより、固体撮像素子１内に、一定期間信号電荷が蓄積される。このような光学系７０１は、複数の光学レンズから構成された光学レンズ系としてもよい。
【０１７３】
シャッタ装置７０２は、固体撮像素子１への光照射期間及び遮光期間を制御する。駆動回路７０３は、固体撮像素子１及びシャッタ装置７０２に駆動信号を供給し、供給したタイミング信号等の駆動信号により、固体撮像素子１の信号処理回路７０４への信号出力動作を制御したり、シャッタ装置７０２のシャッタ動作を制御する。すなわち、駆動回路７０３は、駆動信号の供給により、固体撮像素子１から信号処理回路７０４への信号を転送させる。
【０１７４】
信号処理回路７０４は、固体撮像素子１から転送された信号に対して、各種の信号処理を行う。信号処理が行われた映像信号は、メモリなどの記憶媒体に記憶されたり、モニタに出力され、表示される。
【０１７５】
以上説明した本実施の形態に係る電子機器によれば、上述した実施の形態で説明した何れかの受光特性の良好な固体撮像素子を用いたことにより、高精彩な撮像や小型化を達成することが可能になる。
【０１７６】
なお本技術の実施の形態は、上述した実施の形態に限定されるものではなく、本技術の要旨を逸脱しない範囲において種々の変更が可能である。
【０１７７】
＜その他＞
本技術は、以下のような構成もとることができる。
（１）
入射される光を光電変換する光電変換部と、
前記光電変換部を分離する、第１の面側から形成された第１のトレンチに形成された第１の分離部と、
前記光電変換部を分離する、前記第１の面に対向する第２の面側から形成された第２のトレンチに形成された第２の分離部と
を備える固体撮像素子。
（２）
前記第１のトレンチには、Ｎ型の不純物の第１の不純物層と、Ｐ型の不純物の第２の不純物層が固相拡散により形成されている
前記（１）に記載の固体撮像素子。
（３）
前記第１の分離部と前記第２の分離部は、前記光電変換部に光を入射するレンズの光軸と平行な方向に並ぶように配置されている
前記（１）または（２）に記載の固体撮像素子。
（４）
２段の前記光電変換部のうち前記第１の面側の前記光電変換部は前記第１の分離部により分離され、前記第２の面側の前記光電変換部は前記第２の分離部により分離されている
前記（１）、（２）または（３）に記載の固体撮像素子。
（５）
２×２個の前記光電変換部のブロックの周囲は前記第１の分離部により分離されている
前記（１）乃至（４）のいずれかに記載の固体撮像素子。
（６）
前記第１の分離部と前記第２の分離部は、前記光電変換部に光を入射するレンズの光軸と垂直な方向に並ぶように配置されている
前記（１）乃至（５）のいずれかに記載の固体撮像素子。
（７）
前記第１のトレンチには、Ｎ型の不純物の第１の不純物層、Ｐ型の不純物の第２の不純物層、および熱酸化膜が形成されている
前記（１）乃至（６）のいずれかに記載の固体撮像素子。
（８）
前記光電変換部、並びに前記第１の分離部および前記第２の分離部を有する半導体層の前記第１の面側には配線層が配置され、前記第２の面側には光学層が配置される
前記（１）乃至（７）のいずれかに記載の固体撮像素子。
（９）
第１の面側から、第１のトレンチを形成するステップと、
前記第１のトレンチに光電変換部を分離するための第１の分離部を形成するステップと、
前記第１の面に対向する第２の面側から、第２のトレンチを形成するステップと、
前記第２のトレンチに前記光電変換部を分離するための第２の分離部を形成するステップと
を含む固体撮像素子の製造方法。
（１０）
被写体を撮影する固体撮像素子と、
前記固体撮像素子から出力される画像信号を処理する信号処理部とを備え、
前記固体撮像素子は、
入射される光を光電変換する光電変換部と、
前記光電変換部を分離する、第１の面側から形成された第１のトレンチに形成された第１の分離部と、
前記光電変換部を分離する、前記第１の面と対向する第２の面側から形成された第２のトレンチに形成された第２の分離部と
を備える電子機器。
（１１）
入射される光を光電変換する光電変換部と、
前記光電変換部を分離する分離部とを備え、
前記分離部は、
前記光電変換部を分離するためのトレンチに形成されたＮ型およびＰ型の不純物層と、
前記不純物層の上に形成された熱酸化膜と
を備える固体撮像素子。
（１２）
前記不純物層は、固相拡散により形成されている
前記（１１）に記載の固体撮像素子。
（１３）
前記Ｎ型の不純物層は、前記トレンチの転送ゲート側にだけ形成され、前記転送ゲートと反対側には形成されない
前記（１１）または（１２）に記載の固体撮像素子。
（１４）
前記トレンチ内には、所定の電圧がかけられる埋め込み膜が埋め込まれている
前記（１１）、（１２）または（１３）に記載の固体撮像素子。
（１５）
前記熱酸化膜上に、負の固定電荷をもつ固定電荷膜が形成される
前記（１１）乃至（１４）のいずれかに記載の固体撮像素子。
（１６）
前記分離部は、画素の周囲を囲むように形成されている
前記（１１）乃至（１５）に記載の固体撮像素子。
（１７）
前記トレンチは、前記光電変換部および前記分離部を有する半導体層の配線層が配置される側の第１の面側から形成され、前記第１の面と対向する第２の面側には光学層が配置される
前記（１１）乃至（１６）のいずれかに記載の固体撮像素子。
（１８）
前記不純物層は、イオン注入、プラズマドーピング、または気相拡散により形成されている
前記（１１）乃至（１７）のいずれかに記載の固体撮像素子。
【符号の説明】
【０１７８】
１  個体撮像素子，  ３  画素，  ５１  個体撮像素子，  ６１  FDTI，  ６２  RDTI，  ６３  Ｎ型の不純物層，  ６４  Ｐ型の不純物層，  ６５  フォトダイオード，  ６７  レンズ，  ３１０  FDTI，  ３１１  フォトダイオード，  ３１２  トレンチ，  ３２１  Ｎ型の不純物層，  ３３２  Ｐ型の不純物層，  ３２４  熱酸化膜，  ３２５  埋め込み膜
【図１】
2017187957.tif 000003
【図２】
2017187957.tif 000004
【図３】
2017187957.tif 000005
【図４】
2017187957.tif 000006
【図５】
2017187957.tif 000007
【図６】
2017187957.tif 000008
【図７】
2017187957.tif 000009
【図８】
2017187957.tif 000010
【図９】
2017187957.tif 000011
【図１０】
2017187957.tif 000012
【図１１】
2017187957.tif 000013
【図１２】
2017187957.tif 000014
【図１３】
2017187957.tif 000015
【図１４】
2017187957.tif 000016
【図１５】
2017187957.tif 000017
【図１６】
2017187957.tif 000018
【図１７】
2017187957.tif 000019
【図１８】
2017187957.tif 000020
【図１９】
2017187957.tif 000021
【図２０】
2017187957.tif 000022
【図２１】
2017187957.tif 000023
【図２２】
2017187957.tif 000024
【図２３】
2017187957.tif 000025
【図２４】
2017187957.tif 000026
【図２５】
2017187957.tif 000027
【図２６】
2017187957.tif 000028
【図２７】
2017187957.tif 000029
【図２８】
2017187957.tif 000030
【図２９】
2017187957.tif 000031
【図３０】
2017187957.tif 000032
【図３１】
2017187957.tif 000033
【図３２】
2017187957.tif 000034
【図３３】
2017187957.tif 000035
【図３４】
2017187957.tif 000036
【図３５】
2017187957.tif 000037
【図３６】
2017187957.tif 000038
【図３７】
2017187957.tif 000039
【図３８】
2017187957.tif 000040
【図３９】
2017187957.tif 000041
【図４０】
2017187957.tif 000042
【図４１】
2017187957.tif 000043
【図４２】
2017187957.tif 000044
【国際調査報告】
2017187957.tif 000045
2017187957.tif 000046
2017187957.tif 000047
2017187957.tif 000048